(57)【要約】      （修正有）【課題】一つの装置に複数の原料を用意し、一度毎にローラーに原料を付けなくても塗色作業が可能で、同時に一つの装置で多くの種類の色相を使用可能にする組み立て式多色デザインローラー装置を提供する。【解決手段】原料が収容される原料筒本体１０、原料筒本体１０の内部に水平に架設されたミックスローラー４０、ミックスローラー４０の上側に相接し、かみ合って回る分配ローラー７０、分配ローラー７０に相接し、かみ合って回る濾過ローラー８０及び先方に位置し濾過ローラー８０の他側に相接するデザインローラー９２で構成され、デザインローラー９２の回転時に分配ローラー７０を回転させることを特徴にしている。【選択図】図６
0003109348.tif 000002
【実用新案登録請求の範囲】
【請求項１】
色相原料をローラーを利用して塗色するためのローラー装置において、原料が収容される原料筒本体の内部に水平に架設されるミックスローラー、及びこのミックスローラーの上側に相接してかみ合って回転する分配ローラーを有し、この分配ローラーの一方側に相接するデザインローラーが設けられ、このデザインローラーを支承すると共に、原料筒本体を係止する把手付固定型枠で構成され、デザインローラーの回転時に分配ローラー及びミックスローラーを回転させることを特徴とする組み立て式多色デザインローラー装置。
【請求項２】
分配ローラーに相接してかみ合って回転する濾過ローラーを原料筒本体に有する請求項１記載の組み立て式多色デザインローラー装置
【請求項３】
分配ローラーは表面に格子状模様の凸部が形成される請求項１又は２記載の組み立て式多色デザインローラー装置。
【請求項４】
原料筒本体は内側に１以上の分割板が装着されるよう結合溝を具備する請求項１又は２記載の組み立て式多色デザインローラー装置。
【請求項５】
分割板にミックスローラー及び分配ローラーの軸を支承するための軸据置台が具備される請求項４記載の組み立て式多色デザインローラー装置。
【請求項６】
ミックスローラーは円筒形の形状である請求項１又は２記載の組み立て式多色デザインローラー装置。
【請求項７】
ミックスローラーは２以上の丸形薄片が軸に設けられている形状である請求項１又は２記載の組み立て式多色デザインローラー装置。
【請求項８】
原料筒本体の一側面には水平であるか否かを測定する水平物差しが設けられている請求項１又は２記載の組み立て式多色デザインローラー装置。
【考案の詳細な説明】
【技術分野】
【０００１】
本考案は、壁面等の面上にペイント等の色相原料を付けるためのローラー装置に関するもので、より詳細には、一つの装置に原料を含んでおり、一度毎にローラーに原料を付けなくても塗色作業が可能であると同時に、一つの装置で多くの種類の色相を同時に使用可能にする組み立て式多色デザインローラー装置に関するものである。
【背景技術】
【０００２】
従来のローラーは、把手が形成されている棒の先端に単純なローラーが垂直に結合されている。
このような従来のローラーは、壁面にペイントを塗る時、毎回ペイント筒にローラーを付けて取り出し、ローラーにペイントが均一に付けられるよう左右にローラーを傾けなければ作業ができなかった。
又、一度に一つの色だけを塗ることができ、一つのローラーに多くの色のペイントを同時に接触させて使用するのは、実際には殆ど不可能なことであった。
【０００３】
しかし、最近美感を重視する多様な要求に応じて、壁面に多様な色相を塗り付けながらも迅速で簡便に作業可能にすることが必要になった。
その上、作業の結果に対する完成度も重視されるから、作業者の作業遂行能力に左右されず、いつも良質の塗色作業結果を得られる装置が必要になった。
【考案の開示】
【考案が解決しようとする課題】
【０００４】
本考案は、上記のような問題点を解決するためのものであり、作業者が特別の作業をしなくても、容易にローラーに色相原料が均一に付けられるローラー装置を提供することを目的にしている。
【０００５】
又、本考案は一つのローラーから二つ以上の色相を同時に塗色できるようにするローラー装置を提供することを目的にしている。
又、本考案はローラー装置を組み立て式に具備して、保管及び移動が容易なローラー装置を提供することを目的にしている。
【課題を解決するための手段】
【０００６】
上記ような目的を達成するための本考案の構成は、色相原料をローラーを利用して塗色するためのローラー装置において、原料が収容される原料筒本体の内部に水平に架設されるミックスローラー、及びこのミックスローラーの上側に相接してかみ合って回転する分配ローラーを有し、この分配ローラーの一方側に相接するデザインローラーが設けられ、このデザインローラーを支承すると共に、原料筒本体を係止する把手付固定型枠で構成され、デザインローラーの回転時に分配ローラー及びミックスローラーを回転させることを特徴としている。
【０００７】
又、分配ローラーの一側に相接しかみ合って回転する濾過ローラーを含むことを一つの特徴にしている。
又、本考案の分配ローラーは表面に格子状模様の凸部が具備されていることを特徴にしている。
【０００８】
又、本考案の上記原料筒本体は内部に一つ以上の分割板が装着されるよう結合溝を具備することを特徴にしている。
又、本考案の分割板にはミックスローラーの軸を支承するための軸据置台が具備されることを特徴にしている。
【０００９】
更に、本考案のミックスローラーは円筒形形状であることを特徴にしている。又、ミックスローラーは二つ以上の丸形薄片が軸に設けられている形状であることを特徴にしている。
【００１０】
又、本考案の上記原料筒本体の一側面には水平であるか否かを測定する水平物差しが具備されることを特徴にしている。
【考案の効果】
【００１１】
上記のような構成の本考案は、熟練されていない作業者であってもローラーに色相原料が均一に付けられるようにして、均一な塗色作業が可能にする効果を有する。
又、本考案は別途の作業で塗色原料をローラーに付けなくても、ローラーの回転により継続的に塗色原料が供給されるようにする効果を有する。
【００１２】
更に、本考案は一つのローラーで二つ以上の色相を同時に塗色可能にして、美感を高めながらも簡単に作業可能にする効果を有する。又、本考案は構造が組み立て式であるから、保管及び移動が容易になる効果を有する。
【考案を実施するための最良の形態】
【００１３】
以下、本考案の構成に対する詳細な説明を添付した図面の一実施例を参照して説明する。
図１は本考案の原料筒本体１０の斜視図である。図２に図示されるように、原料筒本体１０は上面が開放されているボックス形構造であり、上面を除いた全ての面は密閉されている。
【００１４】
原料筒本体１０はペイント等の色相原料が収容される部分であり、外部側面には固定型枠５０を軸支するための固定型枠用軸１６が突設されている。
固定型枠用軸１６は円柱形状の突出形として固定型枠５０の原料筒本体連結孔５８に着脱可能に挿入される。
【００１５】
原料筒本体１０の内部面の左右側壁には軸据置台１４が具備されている。
軸据置台１４は原料筒本体１０内に設置され、ミックスローラー４０の軸４２が支承される部分である。軸据置台１４は上部が開放されているＵ字状の溝を具備してミックスローラー４０の軸４２が上部から下へ押し入れて挟まれる。
【００１６】
軸据置台１４の上部には原料筒本体１０の上方に露出されるように濾過ローラー支承片１８が具備されている。濾過ローラー支承片１８の軸受孔１８Ａは濾過ローラー８０の軸が挿入される部分である。
【００１７】
濾過ローラー８０は原料筒本体１０の上部に具備される分配ローラー７０に相接するように濾過ローラー支承片１８の位置を調節しなければならない。
軸据置台１４の上部後方にやや傾いた方向に濾過ローラー支承片１８が位置し、濾過ローラー支承片１８には濾過ローラー８０の軸が軸受孔１８Ａに挿入されるようにする。
【００１８】
原料筒本体１０の内部の前方或いは後方側面には垂直方向に結合溝１２が形成されている。
結合溝１２は分割板３０が装着し固定される部分であり、原料筒本体１０内には一個乃至四個程度を一定間隔で具備するのが望ましい。
【００１９】
原料筒本体１０の後方壁外側には水平物差し２０を具備するのが望ましい。水平物差し２０は通常の水銀を利用した水平物差し（或いは水平器、水準器）として水平状態を維持するかを測定する道具である。
水平物差し２０が原料筒本体１０に具備されることで、ローラー作業時に水平が維持されている状態かを作業者が容易に判るようになる。
符号１３は回転防止ネジである。
【００２０】
図２は本考案の原料筒本体１０内に装着される分割板３０を表す図面である。
図２（ａ）は分割板３０を側方から表す図面であり、図２（ｂ）は上方から表す図面である。
図２（ａ）に図示されているように、平板状の分割板３０は原料筒本体１０にしっかり挟まれるように原料筒本体１０の断面形状と一致させる。
【００２１】
分割板３０は原料筒本体１０に形成されている前記の結合溝１２に挟まれ原料筒本体１０に装着される。
分割板３０は密接に結合溝１２の内部面と接触され、液体である原料が漏れないようにしなければならない。分割板３０は梯形形状とし、原料筒本体１０の断面形状と下端面と両側面が一致する結合溝１２には、分割板３０が堅固に装着、固定される。
【００２２】
分割板３０の両側面には軸据置台３２が具備される。
分割板３０に具備される軸据置台３２は原料筒本体１０の内部に具備される軸据置台１４と同一の機能をする。即ち、分割板３０の軸据置台３２は分割されている空間内に位置する各々のミックスローラー４０の軸４２が支承されるようにする。
【００２３】
軸据置台３２は上部が開放され、両側面及び下方が密閉され、軸４２が上側から挿入されるＵ字状の溝を形成する。
図２（ｂ）に図示されるように、上部が開放され、両側面が密閉、突出され、ミックスローラー４０の軸４２を支承する軸据置台３２を有する分割板３０は、両側にミックスローラー４０を支承するため両面に軸据置台３２を具備する。
【００２４】
図３は本考案の原料筒本体１０内に装着される分割板３０及びミックスローラー４０を上側から表す図面である。
図３（ａ）は分割板３０を一つも持たない場合のミックスローラー４０を表す図面であり、図２（ｂ）は分割板３０が一つの場合のミックスローラー４０を表す図面で、図２（ｃ）は分割板３０が二つの場合のミックスローラー４０を表す図面である。
【００２５】
図３（ａ）に図示されるように、原料筒本体１０内にミックスローラー４０が挿入設置されている。ミックスローラー４０は原料筒本体１０に収容されているペイント等の原料に一部分接触している。
ミックスローラー４０は、中が空いている円筒形であり、二つをつなげて構成するのが望ましい。ミックスローラー４０は側面の軸４２により軸据置台１４で原料筒本体１０に設置される。
【００２６】
ミックスローラー４０は、原料筒本体１０内のペイント等の原料をむらなく混ぜると同時に、ミックスローラー４０の表面に付着させて回転する役割を遂行する。
ミックスローラー４０の表面に付着し引き上げられる原料は、上側面で接触している分配ローラー７０に伝達される。
【００２７】
図２（ｂ）は分割板３０を中央の結合溝１２に支承している状態を表す図面である。    原料筒本体１０が二つの部分に分割されるから、二つの小型ミックスローラー４０が必要になり、中央を分割する分割板３０の側面の軸据置台３２にミックスローラー４０の軸４２が挿着される。
【００２８】
図２（ｃ）は分割板３０を二つ具備して原料筒本体１０を三つの部分に分割する状態を表す図面である。
分割された空間が小さくなるから、ミックスローラー４０はより小さくならなければいけないので、ミックスローラー４０を他の形態に構成するのも可能である。
ミックスローラー４０の代わりに、薄い円盤形の丸形薄片４４を一定間隔離して二つずつ挟んでいるミックスローラー４０が提示されている。丸形薄片４４は円盤形状で中心は軸４２に挟まれるようにする。
【００２９】
図４は本考案のミックスローラー４０を表す図面である。
図４に図示されたように、図４（ａ）は円筒形ミックスローラー４０を図示した図面で、図４（ｂ）は丸形薄片４４を使用したミックスローラー４０を図示した図面で、図４（ｂ）は丸形薄片４４を使用したミックスローラー４０を図示した図面である。
図４（ａ）に図示されているミックスローラー４０は、円筒形で中心には軸４２が貫通している。
図４（ｂ）に図示されているミックスローラー４０は、円盤を二つ重ねた形状で、丸形薄片４４を二つ設置する。丸形薄片４４はゴム材質にするのが望ましい。同じように丸形薄片４４の中心には軸４２が貫通している。
【００３０】
原料筒本体１０を分割しない場合には、図４（ａ）のようなミックスローラー４０を長く形成させるか、短いミックスローラー４０を二つ平行に連結して使用する。
原料筒本体１０が分割される場合には、各々の分割された領域にミックスローラー４０を一つずつ具備する。
【００３１】
図５は本考案の固定型枠５０を表す図面である。
図５に図示されたように、コ字形状の固定型枠５０に把手５２が具備されている。第１支持台５４と第２支持台５６は前方に向かって延設されている。
【００３２】
第１支持台５４と第２支持台５６は互いに平行に向かい合っており、各々向かい合っている位置に原料筒本体連結孔５８及びデザインローラー連結孔６０が具備されている。
原料筒本体連結孔５８は第１支持台５４、第２支持台５６の中間部分に具備され、３個位の孔を平行に形成し、原料筒本体１０の固定型枠用軸１６が結合される位置を選択できるようにするのが望ましい。
【００３３】
第１支持台５４、第２支持台５６の前方端部には向かい合っているデザインローラー連結孔６０が具備されている。デザインローラー連結孔６０にはデザインローラー９０の軸が挿入される。
デザインローラー連結孔６０は、デザインローラー９０の軸の位置を調節できるように長く形成されるのが望ましい。
【００３４】
平行している第１支持台５４と第２支持台５６の間には、原料筒本体１６及びデザインローラー９０等が具備される。
原料筒本体１０及びデザインローラー９０は、固定型枠５０の第１支持台５４、第２支持台５６に具備されている孔に簡単に着脱可能であり、又装着された状態においても簡単に分離可能である。
【００３５】
図６は本考案のデザインローラー装置を表す図面である。
図６に図示されるように、固定型枠５０には原料筒本体１０が装着され、その前方上部にはデザインローラー９０が支承されている。
【００３６】
デザインローラー９０の表面は陽刻（浮き彫り）或いは模様化９２され、回転しながら作業面にデザインローラー９０の表面に形成された模様９２を塗色することになる。
デザインローラー９０は柔軟性に優れているシリコン材質を使用し、均一でない作業面においても容易に塗装できるようにするのが望ましい。
【００３７】
デザインローラー９０の後方下側には分配ローラー７０が相接している。分配ローラー７０は原料筒本体１０の軸据置台１４に支承されており、表面には格子状模様凸部７２が形成されている。
格子状模様は網模様を含む総称であり、場合によっては繰り返される他の模様を使用することも可能である。
【００３８】
格子状模様凸部７２は薄いゴムをかぶせて形成する。格子状模様凸部には互いにかみ合って回転するローラーが空回りするのを防ぐために摩擦を高めるためである。
又、格子状模様凸部２７は均一な模様自体が色相原料を均一に分布できるようにする役割もする。
【００３９】
分配ローラー７０の後方は濾過ローラー８０と相接している。濾過ローラー８０は原料筒本体１０の軸据置台１４と一体に延設されている支承片１８に設置される。
濾過ローラー８０は分配ローラー７０の表面に不均一に固まっているか、部分的に付けられている色相原料を均一に広げながら、均一に付着させる役割をする。
濾過ローラー８０は分配ローラー７０に相接し回転するか、或いは非常に微細な距離をおいて位置させるのが望ましい。
【００４０】
原料筒本体１０の後方には水平物差し２０が具備され、作業者が水平状態を確認しながら塗色作業ができるようにする。
【００４１】
次に、各ローラーの動作方式を詳細に説明する。
作業者は塗色しようとする色相が二つの場合には、一つの分割板３０を原料筒本体３０内に結合し、三つの場合には二つの分割板３０を原料筒本体３０内に結合する。
分割板３０により分割された空間にはペイント等の色相原料を各々入れ、ミックスローラー４０を挿入させ固定する。
【００４２】
このような原料筒本体３０には追加的に分配ローラー７０と濾過ローラー８０を結合させた後、固定型枠５０に挟む原料筒本体１０の上部前方には分配ローラー７０と相接するようにデザインローラー９０を設置する。
【００４３】
作業者は固定型枠５０の把手５２を握り、デザインローラー９０を作業面に接触させた後、下から上に押し上げながら移動させる。この場合、デザインローラー９０は前方が下に降りながら回転する。
右側から眺めることを基準にすると、デザインローラー９０は時計針の回転方向に回転し、これにかみ合っている分配ローラー７０は時計針の回転方向と反対方向に回転する。この時、濾過ローラー８０とミックスローラー４０は時計針の回転方向に回転する。
【００４４】
ミックスローラー４０の回転によって、その表面に粘着されている色相原料は相接している分配ローラー７０に付着する。
分配ローラー７０に付着した色相原料は濾過ローラー８０を通過しながら分配ローラー７０の表面上に均一に広がり、その状態でデザインローラーに伝達されるようになる。
作業者が下から上に作業するか、上から下に作業するかによってデザインローラー９０の回転方向が違い、それによって分配ローラー７０の回転方向が変わる。
【００４５】
ミックスローラー４０により分配ローラー７０に粘着されている色相原料は、デザインローラー９０と接触する前に濾過ローラー８０を通らないといけない。しかし、濾過ローラー８０を一つだけ設置する場合には、分配ローラー７０の回転方向によって色相原料が濾過ローラー８０を通る前に、デザインローラー９０との接触が可能である。
したがって、濾過ローラー８０は分配ローラー７０とミックスローラー４０が接触している部分を基準にして両側に設置するのが望ましい。
【００４６】
すなわち、図６のように分配ローラー７０の上側後方に一つ設置し、ミックスローラー４０とデザインローラー９０の間に一つ設置するのが望ましい。
デザインローラー９０に付着されている色相原料は表面のデザイン模様９２を含み作業面を塗色することになる。
【図面の簡単な説明】
【００４７】
【図１】本考案の原料筒本体を上側で表す図面である。
【図２】本考案の原料筒本体内に結合される分割板を表す図面である。
【図３】本考案の原料筒本体内に結合される分割板及びミックスローラーを上側にして表す図面である。
【図４】本考案のミックスローラーを表す図面である。
【図５】本考案の固定型枠を表す図面である。
【図６】本考案のデザインローラー装置を表す図面である。
【符号の説明】
【００４８】
１０  原料筒本体  
１２  結合溝
１４、３２  軸据置台
１６  固定型枠用軸
１８  濾過ローラー支承片
２０  水平物差し
３０  分割板
４０  ミックスローラー
４２  軸
４４  丸形薄片
５０  固定型枠
５２  把手
５４  第１支持台
５６  第２支持台
５８  原料筒本体連結孔
６０  デザインローラー連結孔
７０  分配ローラー
７２  格子状模様凸部
８０  濾過ローラー
９０  デザインローラー
９２  デザイン模様
【図１】
0003109348.tif 000003
【図２】
0003109348.tif 000004
【図３】
0003109348.tif 000005
【図４】
0003109348.tif 000006
【図５】
0003109348.tif 000007
【図６】
0003109348.tif 000008